(57)【要約】【課題】  表示画面を横長にした状態で安定して載置することができるとともに、表示画面に表示される画像を視認しやすい携帯機器を提供することを目的とする。【解決手段】  第１及び第２の回転軸９Ａ，９Ｂを中心に回転可能な表示筐体２のヒンジ部３と反対側の端部に、第２の回転軸９Ｂに対して交差方向にスライド可能なレバー１２を設ける。表示部６の表示画面を横長状態として携帯機器を載置した状態で、第２の回転軸９Ｂを中心に表示筐体２を回転させることにより、表示画面の角度を調整することができるので、表示画面に表示される画像を視認しやすい。また、第２の回転軸９Ｂを中心に表示筐体２を所定角度だけ回転させた状態で、レバー１２をスライドさせて表示筐体２から突出させ、当該レバー１２の端部を接地させることにより、表示画面を横長にした状態で携帯機器を安定して載置することができる。【選択図】  図３
2008258854.tif 000002
【特許請求の範囲】
【請求項１】
前面に長方形状の表示画面が形成された表示筐体と、操作部が形成された操作筐体と、上記表示筐体及び上記操作筐体を連結するヒンジ部とを備え、上記ヒンジ部に設けられた第１の回転軸を中心に上記表示筐体を回転させることにより、上記前面を上記操作筐体に対向させた状態で折り畳むことができるとともに、上記第１の回転軸に直交し、上記表示画面の長手方向に平行な第２の回転軸を中心に上記表示筐体を回転させることができる携帯機器であって、
上記表示筐体の上記ヒンジ部と反対側の端部に設けられ、上記第２の回転軸に対して交差方向にスライドさせることにより上記表示筐体から突出するレバーを備えたことを特徴とする携帯機器。
【請求項２】
上記レバーは、上記表示画面の短手方向にスライド可能であることを特徴とする請求項１に記載の携帯機器。
【請求項３】
上記レバーは、上記表示筐体の上記ヒンジ部と反対側の端部における上記前面に隣接する端面に設けられていることを特徴とする請求項１に記載の携帯機器。
【請求項４】
上記レバーは、上記表示筐体の上記ヒンジ部と反対側の端部における上記前面に対向する裏面に設けられていることを特徴とする請求項１に記載の携帯機器。
【請求項５】
上記レバーをスライド方向における任意の位置で係止するレバー係止手段を備えたことを特徴とする請求項１に記載の携帯機器。
【請求項６】
テレビ放送波を受信するテレビ放送受信手段と、
受信したテレビ放送波から指定されたチャンネルのテレビ放送波を抽出するテレビチューナと、
抽出したテレビ放送波に基づくテレビ画像を上記表示画面に短手方向を上下方向として表示させるテレビ画像表示制御手段とを備えたことを特徴とする請求項１〜５のいずれかに記載の携帯機器。
【請求項７】
上記レバーは、上記交差方向の一方側にスライド可能であり、
上記表示筐体の前面を上記操作筐体に対向させて折り畳んだ状態で、上記レバーのスライド方向に対して反対側の上記操作筐体の側面には、上記チャンネルを指定するためのチャンネル指定キーが形成されていることを特徴とする請求項６に記載の携帯機器。
【請求項８】
上記レバーは、上記交差方向の一方側にスライド可能であり、
上記表示筐体の前面を上記操作筐体に対向させて折り畳んだ状態で、上記レバーのスライド方向に対して反対側の上記操作筐体の側面には、抽出したテレビ放送波に基づくテレビ音声の出力音量を調整するための音量キーが形成されていることを特徴とする請求項６に記載の携帯機器。
【請求項９】
上記テレビ画像表示制御手段は、上記表示画面が上記第１の回転軸に対して平行な第１回転位置から上記表示筐体が回転されたときに、上記表示画面に対するテレビ画像の表示を開始させることを特徴とする請求項６に記載の携帯機器。
【請求項１０】
上記レバーは、上記交差方向の両側にスライド可能であり、
上記表示筐体は、上記表示画面が上記第１の回転軸に対して平行な第１回転位置から、上記表示画面が上記第１の回転軸に対して直交する第２回転位置を越えて回転可能であることを特徴とする請求項１〜５のいずれかに記載の携帯機器。
【請求項１１】
上記レバーは、上記交差方向の両側にスライド可能であり、
上記表示筐体は、上記表示画面が上記第１の回転軸に対して平行な第１回転位置から、上記表示画面が上記第１の回転軸に対して直交する第２回転位置を越えて回転可能であり、
上記テレビ画像表示制御手段は、上記第２回転位置を越えて上記表示筐体が回転されたときに、上記表示画面に対するテレビ画像の表示方向を変更することを特徴とする請求項６に記載の携帯機器。
【請求項１２】
上記携帯機器は、携帯電話機であることを特徴とする請求項１〜１１のいずれかに記載の携帯機器。
【発明の詳細な説明】
【技術分野】
【０００１】
本発明は、携帯機器に係り、さらに詳しくは、長方形状の表示画面を有する表示筐体と、操作部を有する操作筐体とが、ヒンジ部を介して第１の回転軸及び当該第１の回転軸に直交する第２の回転軸を中心に回転可能に連結された携帯機器に関する。
【背景技術】
【０００２】
携帯機器の一例として、ヒンジ部に設けられた第１の回転軸を中心に当該表示筐体を回転させることにより、長方形状の表示画面を操作筐体に対向させた状態で折り畳むことができる折り畳み式の携帯電話機が知られている。この種の携帯電話機の中には、上記第１の回転軸に直交し、表示画面の長手方向に平行な第２の回転軸を中心に表示筐体を回転させることができるようになっているものがある（例えば、特許文献１）。
【０００３】
一方で、携帯電話機などの携帯機器の中には、放送基地局から発信されているテレビ放送波を受信するためのアンテナを備え、受信したテレビ放送波に基づいて表示画面にテレビ画像を表示するとともに、そのテレビ画像に対応するテレビ音声を出力することにより、テレビ放送を視聴することができるようになっているものがある（例えば、特許文献２〜４）。
【０００４】
一般的に、放送基地局から発信されているテレビ放送波に基づくテレビ画像は、縦幅に比べて横幅が長い横長のアスペクト比を有している。そこで、この種の携帯機器では、長方形状の表示画面を横長にした状態で、表示画面の短手方向を上下方向としてテレビ画像を表示させることにより、テレビ画像を表示画面全体に大きく表示させることができるようになっている。
【０００５】
このような携帯機器を用いてテレビ放送を長時間視聴する場合、携帯機器を把持し続けると手が疲れるといった問題がある。そこで、特許文献３に開示されている技術では、表示画面を横長にした状態で携帯電話機を載置したときに、当該携帯電話機の操作筐体に伸縮可能に備えられたアンテナを用いて、携帯電話機を立設保持することができるようになっている。
【特許文献１】特開２００５−１２３７８６号公報
【特許文献２】特開２００４−２１５１８０号公報
【特許文献３】特開２００４−３１２３４１号公報
【特許文献４】特開２００５−１２４９３号公報
【発明の開示】
【発明が解決しようとする課題】
【０００６】
しかしながら、特許文献３に開示されているような構成では、載置面に操作筐体及び表示筐体の側面全体を接地させた状態で、アンテナの先端を接地させると、表示画面が載置面に対して垂直になる。そのため、載置面がユーザの目の高さと同程度の高さに位置していなければ、表示画面を垂直方向に視認することができず、表示画面に表示されるテレビ画像が見づらくなるといった問題がある。
【０００７】
そこで、特許文献１に開示されているような第１及び第２の回転軸を中心に表示筐体が回転可能な携帯電話機において、表示筐体を開いて横長状態で立設し、第２の回転軸を中心に回転させることにより表示画面を所望の角度に調整することが考えられる。
【０００８】
しかし、第２の回転軸を中心に表示筐体を回転させた場合には、表示筐体の側面の高さが変化し、当該側面が載置面から離間してしまう。そのため、表示筐体の自重や表示筐体に対して不意に作用した外力などによって携帯電話機が傾いてしまう場合があり、表示画面を安定して横長状態で保持することが困難になる。
【０００９】
本発明は、上記の事情に鑑みてなされたものであり、表示画面を横長にした状態で安定して載置することができるとともに、表示画面に表示される画像を視認しやすい携帯機器を提供することを目的とする。
【課題を解決するための手段】
【００１０】
第１の本発明による携帯機器は、前面に長方形状の表示画面が形成された表示筐体と、操作部が形成された操作筐体と、上記表示筐体及び上記操作筐体を連結するヒンジ部とを備え、上記ヒンジ部に設けられた第１の回転軸を中心に上記表示筐体を回転させることにより、上記前面を上記操作筐体に対向させた状態で折り畳むことができるとともに、上記第１の回転軸に直交し、上記表示画面の長手方向に平行な第２の回転軸を中心に上記表示筐体を回転させることができる携帯機器であって、上記表示筐体の上記ヒンジ部と反対側の端部に設けられ、上記第２の回転軸に対して交差方向にスライドさせることにより上記表示筐体から突出するレバーを備えて構成される。
【００１１】
このような構成によれば、表示画面を横長状態として携帯機器を載置した状態で、第２の回転軸を中心に表示筐体を回転させることにより、表示画面の角度を調整することができる。したがって、ユーザが表示画面を垂直方向に視認することができるように、表示画面を所望の角度に調整することにより、表示画面に表示される画像を視認しやすくすることができる。
【００１２】
また、第２の回転軸を中心に表示筐体を所定角度だけ回転させた状態で、レバーをスライドさせて表示筐体から突出させ、当該レバーの端部を接地させることにより、表示筐体の一端部を操作筐体で支持するとともに、他端部をレバーで支持することができる。これにより、表示画面を横長にした状態で携帯機器を安定して載置することができる。
【００１３】
第２の本発明による携帯機器は、上記構成に加えて、上記レバーが、上記表示画面の短手方向にスライド可能に構成される。
【００１４】
このような構成によれば、表示画面の長手方向に平行な第２の回転軸を中心に表示筐体を回転させ、表示画面の角度に応じて表示画面の短手方向へのレバーのスライド量を調整することにより、レバーの端部を良好に接地させることができる。
【００１５】
第３の本発明による携帯機器は、上記構成に加えて、上記レバーが、上記表示筐体の上記ヒンジ部と反対側の端部における上記前面に隣接する端面に設けられて構成される。
【００１６】
このような構成によれば、表示筐体のヒンジ部と反対側の端部における前面に隣接する端面に、レバーをスライド可能に設けることができる。これにより、表示筐体の前面に表示画面をより大きく形成し、当該前面に隣接する端面にレバーを設けることができる。
【００１７】
第４の本発明による携帯機器は、上記構成に加えて、上記レバーが、上記表示筐体の上記ヒンジ部と反対側の端部における上記前面に対向する裏面に設けられて構成される。
【００１８】
このような構成によれば、表示筐体の上記ヒンジ部と反対側の端部における前面に対向する裏面に、レバーをスライド可能に設けることができる。これにより、表示筐体の前面に表示画面をより大きく形成し、当該前面に対向する裏面にレバーを設けることができる。
【００１９】
第５の本発明による携帯機器は、上記構成に加えて、上記レバーをスライド方向における任意の位置で係止するレバー係止手段を備えて構成される。
【００２０】
このような構成によれば、レバーを第２の回転軸に対して交差方向にスライドさせて、そのスライド方向における任意の位置で係止することができる。したがって、表示筐体を回転させることにより表示画面を所望の角度に調整し、その角度に応じた任意の位置までレバーをスライドさせて係止することができるので、表示画面を横長にした状態で携帯機器をより安定して載置することができる。
【００２１】
第６の本発明による携帯機器は、上記構成に加えて、テレビ放送波を受信するテレビ放送受信手段と、受信したテレビ放送波から指定されたチャンネルのテレビ放送波を抽出するテレビチューナと、抽出したテレビ放送波に基づくテレビ画像を上記表示画面に短手方向を上下方向として表示させるテレビ画像表示制御手段とを備えて構成される。
【００２２】
このような構成によれば、表示画面を横長状態として携帯機器を載置した状態で、表示画面に短手方向を上下方向としてテレビ画像を表示させることができる。したがって、横長状態の表示画面の上下方向とテレビ画像の上下方向とが一致するようにテレビ画像を表示させることができる。
【００２３】
第７の本発明による携帯機器は、上記構成に加えて、上記レバーが、上記交差方向の一方側にスライド可能であり、上記表示筐体の前面を上記操作筐体に対向させて折り畳んだ状態で、上記レバーのスライド方向に対して反対側の上記操作筐体の側面には、上記チャンネルを指定するためのチャンネル指定キーが形成されて構成される。
【００２４】
このような構成によれば、表示画面を横長状態として携帯機器を載置した状態で、レバーを上記交差方向の一方側にスライドさせて端部を接地させるとともに、操作筐体の上記一方側の側面を接地させ、当該側面に対して反対側の側面に形成されたチャンネル指定キーを上方から操作することにより、チャンネルを指定することができる。したがって、表示画面を横長状態として携帯機器を載置した状態であっても、チャンネルを指定する操作を容易に行うことができるので、使い勝手がよい。
【００２５】
第８の本発明による携帯機器は、上記構成に加えて、上記レバーが、上記交差方向の一方側にスライド可能であり、上記表示筐体の前面を上記操作筐体に対向させて折り畳んだ状態で、上記レバーのスライド方向に対して反対側の上記操作筐体の側面には、抽出したテレビ放送波に基づくテレビ音声の出力音量を調整するための音量キーが形成されて構成される。
【００２６】
このような構成によれば、表示画面を横長状態として携帯機器を載置した状態で、レバーを上記交差方向の一方側にスライドさせて端部を接地させるとともに、操作筐体の上記一方側の側面を接地させ、当該側面に対して反対側の側面に形成された音量キーを上方から操作することにより、テレビ音声の出力音量を調整することができる。したがって、表示画面を横長状態として携帯機器を載置した状態であっても、テレビ音声の出力音量を調整する操作を容易に行うことができるので、使い勝手がよい。
【００２７】
第９の本発明による携帯機器は、上記構成に加えて、上記テレビ画像表示制御手段が、上記表示画面が上記第１の回転軸に対して平行な第１回転位置から上記表示筐体が回転されたときに、上記表示画面に対するテレビ画像の表示を開始させるように構成される。
【００２８】
このような構成によれば、表示画面が第１の回転軸に対して平行な第１回転位置から第２の回転軸を中心に表示筐体を回転させることにより、表示画面に対するテレビ画像の表示を開始させ、そのまま表示画面の角度を調整することにより、表示画面に表示されるテレビ画像を視認しやすくすることができる。したがって、テレビ画像の表示を開始させる操作と表示画面の角度を調整する操作とを一度に行うことができるので、使い勝手がよい。
【００２９】
第１０の本発明による携帯機器は、上記構成に加えて、上記レバーが、上記交差方向の両側にスライド可能であり、上記表示筐体が、上記表示画面が上記第１の回転軸に対して平行な第１回転位置から、上記表示画面が上記第１の回転軸に対して直交する第２回転位置を越えて回転可能に構成される。
【００３０】
このような構成によれば、表示筐体が第１回転位置と第２回転位置の間にあるときには、レバーを上記交差方向の一方側にスライドさせて、当該レバーの一端部を接地させることができるとともに、表示筐体が第２回転位置を越えて回転された状態では、レバーを上記交差方向の他方側にスライドさせて、当該レバーの他端部を接地させることができる。
【００３１】
第１１の本発明による携帯機器は、上記構成に加えて、上記レバーが、上記交差方向の両側にスライド可能であり、上記表示筐体が、上記表示画面が上記第１の回転軸に対して平行な第１回転位置から、上記表示画面が上記第１の回転軸に対して直交する第２回転位置を越えて回転可能であり、上記テレビ画像表示制御手段が、上記第２回転位置を越えて上記表示筐体が回転されたときに、上記表示画面に対するテレビ画像の表示方向を変更するように構成される。
【００３２】
このような構成によれば、表示筐体が第１回転位置と第２回転位置の間にあるときには、レバーを上記交差方向の一方側にスライドさせて、当該レバーの一端部を接地させることができるとともに、表示筐体が第２回転位置を越えて回転された状態では、レバーを上記交差方向の他方側にスライドさせて、当該レバーの他端部を接地させることができる。
【００３３】
特に、表示筐体が第２回転位置を越えて回転されたときに、表示画面に対するテレビ画像の表示方向が変更されるので、表示画面の角度に対応する表示方向でテレビ画像を表示させることができる。したがって、表示筐体が第１回転位置と第２回転位置の間にあるときには、表示画面の短手方向の一方側を上方としてテレビ画像を表示させ、表示筐体が第２回転位置を越えて回転された状態では、表示画面の短手方向の他方側を上方としてテレビ画像を表示させることができる。
【００３４】
これにより、表示画面の角度に応じて、当該表示画面の短手方向における上側となる端部を上方としてテレビ画像を表示させることができるので、表示画面に表示されるテレビ画像を視認しやすくすることができる。
【００３５】
第１２の本発明による携帯機器は、上記構成に加えて、上記携帯機器が、携帯電話機により構成される。
【００３６】
このような構成によれば、表示画面を横長にした状態で安定して載置することができるとともに、表示画面に表示される画像を視認しやすい携帯電話機を提供することができる。
【発明の効果】
【００３７】
本発明によれば、表示画面を横長状態として携帯機器を載置した状態で、第２の回転軸を中心に表示筐体を回転させることにより、表示画面の角度を調整することができるので、表示画面に表示される画像を視認しやすい。また、第２の回転軸を中心に表示筐体を所定角度だけ回転させた状態で、レバーをスライドさせて表示筐体から突出させ、当該レバーの端部を接地させることにより、表示画面を横長にした状態で携帯機器を安定して載置することができる。
【発明を実施するための最良の形態】
【００３８】
実施の形態１．
図１は、本発明の実施の形態１による携帯機器の一例として携帯電話機１を示した斜視図であり、筐体を展開した状態を示している。また、図２は、図１の携帯電話機１の筐体を折り畳んだ状態を示した斜視図である。以下では、図１における左奥側を左方、右手前側を右方として説明することとする。
【００３９】
この携帯電話機１は、いわゆる折り畳み式の携帯電話機であり、それぞれ直方体形状からなる表示筐体２及び操作筐体５がヒンジ部３を介して連結され、図２に示すように、表示筐体２及び操作筐体５を対向させた状態で折り畳むことができるようになっている。
【００４０】
表示筐体２には、折り畳んだ状態で操作筐体５に対向する前面に、表示部６及び受話用レシーバ８が配置されている。表示部６は、長方形の表示画面を有する液晶表示器からなり、その表示画面の長手方向が表示筐体２の長手方向と一致するように形成されている。受話用レシーバ８は、通話時に相手方電話機からの音声を出力するための音声出力手段であり、表示筐体２におけるヒンジ部３と反対側の端部に配置されている。
【００４１】
操作筐体５には、折り畳んだ状態で表示筐体２に対向する前面に、複数の前面キー４１及び送話用マイクロホン７が配置されるとともに、表示筐体２に対向しない左端面に複数の端面キー４２が配置されている。前面キー４１には、電話番号を入力する際などに操作されるテンキーの他、オンフックキーやオフフックキーなどが含まれる。一方、端面キー４２には、後述するテレビ放送波の受信に関する操作を行うためのキーが含まれる。送話用マイクロホン７は、通話時にユーザの音声を入力する音声入力手段であり、操作筐体５におけるヒンジ部３と反対側の端部に配置されている。
【００４２】
表示筐体２は、ヒンジ部３を介して操作筐体５に連結されることにより、互いに直交する第１の回転軸９Ａ及び第２の回転軸９Ｂを中心に回転可能となっている。すなわち、表示筐体２は、表示部６の表示画面の短手方向に平行な第１の回転軸９Ａを中心に回転することにより、その前面を操作筐体５に対向させた状態で折り畳むことができるとともに、表示部６の表示画面の長手方向に平行な第２の回転軸９Ｂを中心に回転させることができるようになっている。
【００４３】
図１では、第２の回転軸９Ｂに対する表示筐体２の回転位置が、表示部６の表示画面が第１の回転軸９Ａに対して平行な第１回転位置となっている。表示筐体２は、図１に示す第１回転位置から、矢印Ｄ１で示すように、ヒンジ部３とは反対の端部側から見て時計回りに回転可能となっている。この例では、表示筐体２は、第１回転位置から９０°回転された第２回転位置を越えて、第１回転位置から１８０°回転された第３回転位置まで回転できるようになっている。
【００４４】
表示筐体２は、第１及び第３回転位置において係止され、所定値以上のトルクを付与しなければ、第１回転位置から第３回転位置側へ、又は、第３回転位置から第１回転位置側へ回転しないようになっている。これにより、表示筐体２が回転されて第１又は第３回転位置となるときには、クリック感が得られるようになっている。
【００４５】
図３及び図４は、図１の携帯電話機１の表示筐体２を展開した状態で第２の回転軸９Ｂを中心に回転させたときの斜視図であり、図３は表示筐体２が第１回転位置から９０°以内の回転位置にある状態を前側から見た図、図４は表示筐体２が第１回転位置から９０°を越えて回転された状態を後側から見た図を示している。
【００４６】
この携帯電話機１では、放送基地局から発信されているテレビ放送波を受信して、そのテレビ放送波に基づくテレビ画像を表示部６の表示画面に表示するとともに、そのテレビ画像に対応するテレビ音声を出力することにより、テレビ放送を視聴することができるようになっている。
【００４７】
一般的に、放送基地局から発信されているテレビ放送波に基づくテレビ画像は、縦幅に比べて横幅が長い横長のアスペクト比を有している。そのため、図３又は図４に示すように、長方形状からなる表示部６の表示画面を横長にした状態で、当該表示画面の短手方向を上下方向としてテレビ画像を表示させることにより、テレビ画像を表示画面全体に大きく表示させることができる。
【００４８】
このように、表示部６の表示画面を横長にした状態でテレビ放送を長時間視聴する場合、携帯電話機１を把持し続けると手が疲れるため、机やテーブルなどの載置面上に表示画面を横長にした状態で携帯電話機１を安定して載置することができれば便利である。そこで、本実施の形態では、図３及び図４に示すように、表示筐体２のヒンジ部３と反対側の端部に、第２の回転軸９Ｂに対して交差方向にスライド可能なレバー１２が設けられており、このレバー１２の端部を載置面に接地させることにより携帯電話機１を安定して立設保持することができるようになっている。
【００４９】
レバー１２は、表示筐体２の前面に隣接する端面２Ａにおいて、表示部６の表示画面の短手方向にスライド可能に取り付けられており、スライドさせることにより表示筐体２から上記短手方向に突出させることができるようになっている。この例では、レバー１２は、図３に矢印Ｄ２で示すように、表示部６の表示画面の短手方向に沿って左右両側にスライド可能となっており、図３のように表示筐体２の右側面側へ突出させることもできるし、図４のように表示筐体２の左側面側へ突出させることもできるようになっている。
【００５０】
レバー１２の上面における左右方向の中央部には、凸部又は凹部からなる接触部１２Ａが形成されており、この接触部１２Ａにユーザが指を接触させてレバー１２を容易にスライドさせることができるようになっている。
【００５１】
本実施の形態では、図３及び図４に示すように、表示部６の表示画面を横長状態として携帯電話機１を載置した状態で、第２の回転軸９Ｂを中心に表示筐体２を回転させることにより、表示画面の角度を調整することができる。したがって、ユーザが表示画面を垂直方向に視認することができるように、表示画面を所望の角度に調整することにより、表示画面に表示される画像を視認しやすくすることができる。
【００５２】
また、第２の回転軸９Ｂを中心に表示筐体２を所定角度だけ回転させた状態で、レバー１２をスライドさせて表示筐体２から突出させ、当該レバー１２の端部を接地させることにより、表示筐体２の一端部を右側面が接地した操作筐体５で支持するとともに、他端部をレバー１２で支持することができる。これにより、表示部６の表示画面を横長にした状態で携帯電話機１を安定して載置することができる。
【００５３】
特に、表示部６の表示画面の長手方向に平行な第２の回転軸９Ｂを中心に表示筐体２を回転させ、表示画面の角度に応じて表示画面の短手方向へのレバー１２のスライド量を調整することにより、レバー１２の端部を良好に接地させることができる。また、表示筐体２のヒンジ部３と反対側の端部における前面に隣接する端面２Ａに、レバー１２をスライド可能に設けることにより、表示筐体２の前面に表示部６の表示画面をより大きく形成し、当該前面に隣接する端面２Ａにレバー１２を設けることができる。
【００５４】
図３に破線で示すように、表示筐体２が第１回転位置から９０°回転された第２回転位置では、表示部６の表示画面が第１の回転軸９Ａに対して直交している。図３のように、表示筐体２が第１回転位置と第２回転位置の間にあるときには、レバー１２を表示筐体２の右側面側へスライドさせて当該レバー１２の右端部を接地させ、表示部６の表示画面を前方から視認することができる。一方、図４のように、表示筐体２が第２回転位置を越えて回転された状態では、レバー１２を表示筐体２の左側面側へスライドさせて当該レバー１２の左端部を接地させ、表示部６の表示画面を後方から視認することができる。
【００５５】
図５は、表示筐体２の要部分解斜視図であり、レバー１２を表示筐体２から取り外した状態を示している。図６は、表示筐体２の要部断面図であり、（ａ）は表示部６の表示画面に対して垂直方向に切断した断面図、（ｂ）は表示部６の表示画面に対して平行方向に切断した断面図を示している。なお、図５では、レバー１２を表裏反転させた状態で示している。
【００５６】
図５及び図６に示すように、表示筐体２の端面２Ａには、表示部６の表示画面に平行な左右方向に延びる溝１３が形成されている。レバー１２は、長方形状の板状部材からなり、その長手方向が左右に延びるように溝１３内に嵌め込まれることにより、左右方向にスライド可能に取り付けられている。
【００５７】
溝１３の底面における左右方向の中央部には、円形の収容凹部１４が形成されている。この収容凹部１４内には、ばね１６及び球体１７が収容され、レバー１２は、接触部１２Ａが形成されている上面とは反対側の下面が、ばね１６の上方に位置する球体１７に対向するように溝１３内に取り付けられる。ばね１６は、球体１７をレバー１２側へ付勢するための付勢手段を構成しており、ばね１６により付勢された球体１７は、所定の押圧力でレバー１２の下面に当接する。
【００５８】
レバー１２は、その下面に当接する球体１７からの押圧力によって、所定値以上の抵抗を受けながら左右方向にスライド可能となっており、任意の位置で係止することができるようになっている。すなわち、ばね１６及び球体１７は、レバー１２をスライド方向における任意の位置で係止するレバー係止手段を構成している。
【００５９】
このような構成によれば、表示筐体２を回転させることにより表示部６の表示画面を所望の角度に調整し、その角度に応じた任意の位置までレバー１２をスライドさせて係止することができるので、表示画面を横長にした状態で携帯電話機１をより安定して載置することができる。
【００６０】
レバー１２の下面における左右方向の中央部及び左右各端部には、それぞれ球体１７に対応する形状の係合凹部１５が形成されている。これらの３つの係合凹部１５は、左右方向に等間隔で形成されており、いずれかの係合凹部１５内に球体１７が入り込んだ状態で、レバー１２が係合されるようになっている。
【００６１】
図６に示すように、レバー１２の中央部の係合凹部１５内に球体１７が入り込んだ状態では、レバー１２の左右両端部が表示筐体２の端面２Ａの左右両端部に対向し、レバー１２が表示筐体２から突出しない状態となっている。この状態からレバー１２を左右方向にスライドさせると、レバー１２の左端部の係合凹部１５内に球体１７が入り込んだ状態では、レバー１２が表示筐体２から右方向へ突出し、レバー１２の右端部の係合凹部１５内に球体１７が入り込んだ状態では、レバー１２が表示筐体２から左方向へ突出する。なお、上記３つの係合凹部１５のうち左右両側に設けられた２つの係合凹部１５は、レバー１２のスライド範囲を規制するためのストッパを構成している。
【００６２】
図７は、この携帯電話機１の電気的構成の一例を示したブロック図である。この携帯電話機１は、上述した表示部６、送話用マイクロホン７、受話用レシーバ８、前面キー４１及び端面キー４２に加えて、スピーカ１０、回転位置検知部２２、開閉検知部２３、セルラー通信部２４、テレビ放送受信部２５及びテレビチューナ２６を備えており、それらの動作が、プロセッサからなる制御部３０により制御されるようになっている。なお、前面キー４１及び端面キー４２は、ユーザが入力操作を行うための操作部４を構成している。
【００６３】
回転位置検知部２２及び開閉検知部２３は、機械的又は電気的なスイッチにより構成されている。回転位置検知部２２は、第２の回転軸９Ｂを中心とする表示筐体２の回転操作を検知することにより、表示筐体２の回転位置を検知する。一方、開閉検知部２３は、第１の回転軸９Ｂを中心とする表示筐体２の回転操作を検知することにより、表示筐体２が開状態及び閉状態のいずれであるかを検知する。
【００６４】
本実施の形態では、回転位置検知部２２は、表示部６の表示画面が第１の回転軸９Ａに対して平行な第１回転位置、第１回転位置から第２の回転軸９Ｂを中心に９０°回転された第２回転位置、及び、第１回転位置から第２の回転軸９Ｂを中心に１８０°回転された第３回転位置を検知することができるようになっている。また、開閉検知部２３は、表示筐体２が折り畳まれた状態から第１の回転軸９Ａを中心に９０°回転されるまでの間は閉状態と検知し、９０°以上回転されると開状態と検知する。なお、表示筐体２は、折り畳まれた状態から最大で１５０°まで第１の回転軸９Ｂを中心に回転させることができるようになっている。
【００６５】
セルラー通信部２４は、通信用アンテナ２４Ａを介してセルラー基地局との間で電波の送受信を行うことにより、通話音の送受信を行っている。相手方電話機との間で通話状態が確立された状態では、ユーザの通話音に基づく音声信号がセルラー通信部２４から送信され、相手方電話機からの通話音に基づく音声信号がセルラー通信部２４で受信されることにより、通話音が送受信される。
【００６６】
テレビ放送受信部２５は、テレビ放送受信用アンテナ２５Ａを介して、放送基地局から発信されているテレビ放送波を受信するテレビ放送受信手段である。放送基地局から発信されているテレビ放送波には、アナログ放送に対応したアナログ放送波と、デジタル放送に対応したデジタル放送波とが含まれている。このテレビ放送受信部２５が受信するデジタル放送波は、一般のデジタルハイビジョン放送波の一定帯域に割り当てられた携帯機器向けの１セグメント放送波であり、テレビ画像及びテレビ音声に加えて、そのテレビ画像に対応する字幕や関連する記事などの文字情報が含まれている。
【００６７】
テレビチューナ２６は、テレビ放送受信部２５により受信されるテレビ放送波から、指定されたチャンネルのテレビ放送波を抽出する。すなわち、ユーザが操作部４を操作してチャンネルを指定することにより、指定されたチャンネルのテレビ放送波がテレビチューナ２６により抽出される。そして、抽出されたテレビ放送波に基づいて表示部６にテレビ画像が表示されるとともに、そのテレビ画像に対応するテレビ音声がスピーカ１０から出力されることにより、テレビ放送を視聴することができる。
【００６８】
一般的に、３０〜３００ＭＨｚの周波数帯であるＶＨＦ(Very High Frequency)には、周波数に応じて「１」〜「１２」のチャンネルが割り当てられている。また、３００〜３０００ＭＨｚの周波数帯であるＵＨＦ(Ultra High Frequency)には、周波数に応じて「１３」〜「６２」のチャンネルが割り当てられている。これらのチャンネルのいずれかを指定して、そのチャンネルに割り当てられているテレビ放送波を抽出することにより、指定したチャンネルに対応するテレビ放送を視聴することができる。
【００６９】
端面キー４２には、テレビチューナ２６により抽出されるテレビ放送波のチャンネルを指定するためのチャンネル指定キー４２Ａと、抽出したテレビ放送波に基づくテレビ音声のスピーカ１０からの出力音量を調整するための音量キー４２Ｂが含まれている。テレビチューナ２６により抽出されるテレビ放送波のチャンネルは、チャンネル指定キー４２Ａの操作回数に応じて変更されるようになっている。同様に、スピーカ１０からのテレビ音声の出力音量は、音量キー４２Ｂの操作回数に応じて変更されるようになっている。
【００７０】
図３に示すように、レバー１２は表示筐体２に対して右方向にスライド可能であり、表示筐体２の前面を操作筐体５に対向させて折り畳んだ状態で当該レバー１２のスライド方向に対して反対側となる操作筐体５の左側面に、チャンネル指定キー４２Ａ及び音量キー４２Ｂを含む端面キー４２が設けられている。
【００７１】
本実施の形態では、図３に示すように、表示部６の表示画面を横長状態として携帯電話機１を載置した状態で、レバー１２を右方向にスライドさせて右端部を接地させるとともに、操作筐体５の右側面を接地させ、当該右側面に対して反対側の左側面に形成されたチャンネル指定キー４２Ａ及び音量キー４２Ｂを上方から操作することができる。したがって、表示部６の表示画面を横長状態として携帯電話機１を載置した状態であっても、チャンネル指定キー４２Ａによりチャンネルを指定し、又は、音量キー４２Ｂによりテレビ音声の出力音量を調整する操作を容易に行うことができるので、使い勝手がよい。
【００７２】
図８は、制御部３０の一構成例を示した機能ブロック図である。制御部３０は、チューナ制御部３１、テレビ画像表示制御部３２及びテレビ音声出力制御部３３によって構成され、これらの各機能ブロックは、制御部３０が実行するコンピュータプログラムにより実現される。
【００７３】
チューナ制御部３１は、回転位置検知部２２及び開閉検知部２３からの検知信号や、チャンネル指定キー４２Ａの入力操作に基づいて、テレビチューナ２６の動作を制御する。すなわち、チューナ制御部３１は、回転位置検知部２２及び開閉検知部２３からの検知信号に基づいてテレビチューナ２６を起動又は停止させたり、チャンネル指定キー４２Ａの入力操作に基づいてテレビチューナ２６により抽出するテレビ放送波のチャンネルを変更したりする制御を行う。
【００７４】
テレビ画像表示制御部３２は、表示部６の表示画面に対するテレビ画像の表示を制御するテレビ画像表示制御手段である。このテレビ画像表示制御部３２は、図３及び図４に示すように、表示部６の表示画面を横長状態として携帯電話機１を載置した状態で、長方形状の表示画面に対して短手方向を上下方向としてテレビ画像を表示させる。したがって、横長状態の表示画面の上下方向とテレビ画像の上下方向とが一致するようにテレビ画像を表示させることができる。
【００７５】
テレビ音声出力制御部３３は、スピーカ１０からのテレビ音声の出力を制御するテレビ音声出力制御手段である。このテレビ音声出力制御部３３は、音量キー４２Ｂの入力操作に基づいてスピーカ１０から出力するテレビ音声の音量を制御する。
【００７６】
図９は、第２の回転軸９Ｂを中心に第１回転位置から表示筐体２を回転させたときの制御部３０による処理の一例を示したフローチャートである。
【００７７】
図２のように表示筐体２が折り畳まれた状態から第１の回転軸９Ａを中心に９０°以上回転されることにより、開閉検知部２３において表示筐体２の開状態が検知された状態で、表示筐体２が第２の回転軸９Ｂを中心に第１回転位置から回転されたときには（ステップＳ１０１でＹｅｓ）、チューナ制御部３１によりテレビチューナ２６が起動される（ステップＳ１０２）。これにより、表示部６の表示画面に対するテレビ画像の表示が開始されるとともに、そのテレビ画像に対応するテレビ音声がスピーカ１０から出力される。
【００７８】
その後、第２の回転軸９Ｂを中心とする表示筐体２の回転位置が、第１回転位置又は当該第１回転位置から１８０°回転された第３回転位置とされなければ（ステップＳ１０３でＮｏ）、テレビチューナ２６は起動された状態のまま維持される。そして、表示筐体２の回転位置が第１回転位置と第２回転位置の間にあるときには（ステップＳ１０４でＹｅｓ）、表示部６の表示画面に対して、その左端部を上方としてテレビ画像が表示される（ステップＳ１０５）。一方、表示筐体２が第２回転位置を越えて第３回転位置側へ回転されたときには（ステップＳ１０４でＮｏ）、表示部６の表示画面に対して、その右端部を上方としてテレビ画像が表示されるようにテレビ画像の表示方向が変更される（ステップＳ１０６）。
【００７９】
これに対して、第２の回転軸９Ｂを中心とする表示筐体２の回転位置が、第１回転位置又は当該第１回転位置から１８０°回転された第３回転位置とされた場合には（ステップＳ１０３でＹｅｓ）、起動されているテレビチューナ２６が停止されて（ステップＳ１０７）、表示部６の表示画面に対するテレビ画像の表示が終了し、当該表示画面に待受画面が表示される（ステップＳ１０８）。ここで、上記待受画面とは、携帯電話機１に電源が投入された状態で、アプリケーションが起動されていないときに表示部６に表示される画面のことである。
【００８０】
なお、第１の回転軸９Ａを中心とする表示筐体２の回転角度が９０°未満であり、開閉検知部２３において表示筐体２の閉状態が検知された状態で、表示筐体２が第２の回転軸９Ｂを中心に第１回転位置から回転されたときには（ステップＳ１０１でＮｏ）、テレビチューナ２６は起動されないようになっている。
【００８１】
したがって、図２の状態から第２の回転軸９Ｂを中心に表示筐体２を１８０°回転させて表裏反転させた状態で折り畳み、テレビ放送の視聴以外の機能を実行する際には、第１の回転軸９Ａを中心とする表示筐体２の回転角度を９０°未満に保った状態で、表示筐体２を第２の回転軸９Ｂを中心に第１回転位置から１８０°回転させることにより表裏反転させた後、そのまま表示筐体２を折り畳めばよい。
【００８２】
このようにして表示筐体２を表裏反転させた状態で折り畳んだときに実行する機能の一例として、カメラ機能を実行した場合には、内蔵されたカメラ（図示せず）で被写体が撮影され、表裏反転された状態で折り畳まれている表示筐体２の表示部６が、撮影された画像を表示させるためのファインダとして使用される。
【００８３】
本実施の形態では、表示部６の表示画面が第１の回転軸９Ａに対して平行な第１回転位置から第２の回転軸９Ｂを中心に表示筐体２を回転させることにより、表示画面に対するテレビ画像の表示を開始させ、そのまま表示画面の角度を調整することにより、表示画面に表示されるテレビ画像を視認しやすくすることができる。したがって、テレビ画像の表示を開始させる操作と表示画面の角度を調整する操作とを一度に行うことができるので、使い勝手がよい。
【００８４】
また、表示筐体２が第２回転位置を越えて回転されたときに、表示部６の表示画面に対するテレビ画像の表示方向が変更されるので、表示画面の角度に対応する表示方向でテレビ画像を表示させることができる。したがって、図３に示すように表示筐体２が第１回転位置と第２回転位置の間にあるときには、表示画面の短手方向の一方側である左端部を上方としてテレビ画像を表示させ、図４に示すように表示筐体２が第２回転位置を越えて回転された状態では、表示画面の短手方向の他方側である右端部を上方としてテレビ画像を表示させることができる。
【００８５】
これにより、表示画面の角度に応じて、当該表示画面の短手方向における上側となる端部を上方としてテレビ画像を表示させることができるので、表示画面に表示されるテレビ画像を視認しやすくすることができる。
【００８６】
実施の形態２．
実施の形態１では、表示筐体２の前面に隣接する端面２Ａにレバー１２が設けられた構成について説明した。これに対して、実施の形態２では、表示筐体２の前面に対向する裏面２Ｂにレバー１２が設けられている点が実施の形態１とは異なっている。
【００８７】
図１０は、本発明の実施の形態２による携帯機器の一例として携帯電話機１０１を示した斜視図であり、筐体を折り畳んだ状態を示している。本実施の形態に係る携帯電話機１０１は、レバー１２の配置位置が異なる点以外は実施の形態１の携帯電話機１と同様の構成を有しているので、同様の構成については図に同一符号を付して説明を省略することとする。
【００８８】
この携帯電話機１０１では、レバー１２が、表示筐体２のヒンジ部３と反対側の端部における前面に対向する裏面２Ｂに設けられている。このレバー１２は、表示筐体２の裏面２Ｂに対して表示部６の表示画面の短手方向にスライド可能に取り付けられており、スライドさせることにより表示筐体２から上記短手方向に突出させることができるようになっている。
【００８９】
この例では、レバー１２は、図１０に矢印Ｄ３で示すように、表示部６の表示画面の短手方向に沿って左右両側にスライド可能となっており、表示筐体２の右側面側へ突出させることもできるし、表示筐体２の左側面側へ突出させることもできるようになっている。レバー１２の上面における左右方向の中央部には、実施の形態１の場合と同様に、凸部又は凹部からなる接触部１２Ａが形成されている。
【００９０】
本実施の形態では、表示筐体２のヒンジ部３と反対側の端部における前面に対向する裏面２Ｂに、レバー１２をスライド可能に設けることにより、表示筐体２の前面に表示部６の表示画面をより大きく形成し、当該前面に対向する裏面２Ｂにレバー１２を設けることができる。
【００９１】
以上の実施の形態では、図１に示すように、表示筐体２が第２の回転軸９Ｂを中心に矢印Ｄ１の方向に回転するような構成について説明したが、このような構成に限らず、表示筐体２が第２の回転軸９Ｂを中心に矢印Ｄ１と反対方向に回転するような構成であってもよい。この場合、端面キー４２は、操作筐体５の右側面に設けられていることが好ましい。
【００９２】
レバー１２は、表示筐体２に対して左右両側へスライド可能な構成に限らず、左方向又は右方向の一方にのみスライド可能な構成であってもよい。ただし、上記実施の形態のように、表示筐体２が第２の回転軸９Ｂを中心に矢印Ｄ１の方向に回転するような構成の場合には、レバー１２は少なくとも右方向にスライド可能な構成であることが好ましい。一方、表示筐体２が第２の回転軸９Ｂを中心に矢印Ｄ１と反対方向に回転するような構成の場合には、レバー１２は少なくとも左方向にスライド可能な構成であることが好ましい。
【００９３】
また、レバー１２は、表示部６の表示画面の短手方向、すなわち第２の回転軸９Ｂに対して直交方向にスライド可能な構成に限らず、当該直交方向に対して所定角度で交差する方向にスライド可能な構成であってもよい。
【００９４】
また、以上の実施の形態では、携帯機器の一例として携帯電話機１，１０１について説明したが、本発明は、携帯電話機に限らず、携帯型のパーソナルコンピュータやＰＤＡ(Personal Digital Assistance)、デジタルカメラといった他の携帯機器にも適用可能である。
【図面の簡単な説明】
【００９５】
【図１】本発明の実施の形態１による携帯機器の一例として携帯電話機を示した斜視図であり、筐体を展開した状態を示している。
【図２】図１の携帯電話機の筐体を折り畳んだ状態を示した斜視図である。
【図３】図１の携帯電話機の表示筐体を展開した状態で第２の回転軸を中心に回転させたときの斜視図であり、表示筐体が第１回転位置から９０°以内の回転位置にある状態を前側から見た図を示している。
【図４】図１の携帯電話機の表示筐体を展開した状態で第２の回転軸を中心に回転させたときの斜視図であり、表示筐体が第１回転位置から９０°を越えて回転された状態を後側から見た図を示している。
【図５】表示筐体の要部分解斜視図であり、レバーを表示筐体から取り外した状態を示している。
【図６】表示筐体の要部断面図であり、（ａ）は表示部の表示画面に対して垂直方向に切断した断面図、（ｂ）は表示部の表示画面に対して平行方向に切断した断面図を示している。
【図７】この携帯電話機の電気的構成の一例を示したブロック図である。
【図８】制御部の一構成例を示した機能ブロック図である。
【図９】第２の回転軸を中心に第１回転位置から表示筐体を回転させたときの制御部による処理の一例を示したフローチャートである。
【図１０】本発明の実施の形態２による携帯機器の一例として携帯電話機を示した斜視図であり、筐体を折り畳んだ状態を示している。
【符号の説明】
【００９６】
１，１０１  携帯電話機
２  表示筐体
２Ａ  端面
２Ｂ  裏面
３  ヒンジ部
４  操作部
５  操作筐体
６  表示部
９Ａ  第１の回転軸
９Ｂ  第２の回転軸
１０  スピーカ
１２  レバー
１６  ばね
１７  球体
２２  回転位置検知部
２３  開閉検知部
２５  テレビ放送受信部
２６  テレビチューナ
３０  制御部
３１  チューナ制御部
３２  テレビ画像表示制御部
３３  テレビ音声出力制御部
４２  端面キー
４２Ａ  チャンネル指定キー
４２Ｂ  音量キー
【図１】
2008258854.tif 000003
【図２】
2008258854.tif 000004
【図３】
2008258854.tif 000005
【図４】
2008258854.tif 000006
【図５】
2008258854.tif 000007
【図６】
2008258854.tif 000008
【図７】
2008258854.tif 000009
【図８】
2008258854.tif 000010
【図９】
2008258854.tif 000011
【図１０】
2008258854.tif 000012